(57)【要約】      （修正有）【課題】導光板、バックライトモジュールおよび表示装置を提供する。【解決手段】導光板２は、本体２１および複数のストリップ状構造２２を備える。当該本体は、光入射面２１１および主面２１２を有する。当該ストリップ状構造は、当該光入射面に平行な第１の方向に沿って主面に配列され、当該ストリップ状構造の延在方向は、当該光入射面に垂直な第２の方向で、当該ストリップ状構造は、異なる自身の形態を有し、第１の方向に沿った配列形態が不規則性を有する。各ストリップ状構造は、本体部２２１と本体部から光入射面の方向に向かって幅が漸減された漸減部２２２とを有する。各ストリップ状構造の本体部には、ストリップ状構造の延在方向と同じ方向に延びる複数の直線状のストライプ２３が形成されている。これにより、構造全体の輝度の均一性を向上させることができる。バックライトモジュールおよび表示装置は、当該導光板を含む。【選択図】図１
0003223872.tif 000002
【実用新案登録請求の範囲】
【請求項１】
光入射面、および前記光入射面に接続された主面を有する本体と、
前記主面に前記光入射面に平行な第１の方向に沿って配列された複数のストリップ状構造とを備え、
前記ストリップ状構造の延在方向は、前記光入射面に垂直な第２の方向であり、前記ストリップ状構造は、異なる自身の形態を有するとともに、前記第１の方向に沿った配列形態が不規則性を有し、各ストリップ状構造は、本体部と、前記本体部から前記光入射面の方向に延びる漸減部とを有し、各ストリップ状構造の漸減部の幅は、前記本体部から前記光入射面の方向に向かって漸縮されており、各ストリップ状構造の本体部には、複数の直線状のストライプが形成されており、前記直線状のストライプの延在方向と、前記ストリップ状構造の延在方向とは、前記第２の方向と同じであることを特徴とする導光板。
【請求項２】
前記ストリップ状構造の本体部の幅は、前記主面に不規則に配列されていることを特徴とする請求項１に記載の導光板。
【請求項３】
前記ストリップ状構造の本体部の長さは、前記主面に不規則に配列されていることを特徴とする請求項１又は２に記載の導光板。
【請求項４】
前記ストリップ状構造の漸減部の長さは、前記主面に不規則に配列されていることを特徴とする請求項１乃至３のいずれか１項に記載の導光板。
【請求項５】
前記ストリップ状構造は、隙間なく密接に配列されていることを特徴とする請求項１乃至４のいずれか１項に記載の導光板。
【請求項６】
前記ストリップ状構造は、凸構造であり、かつ前記ストリップ状構造の高さが前記主面に不規則に配列されていることを特徴とする請求項１乃至５のいずれか１項に記載の導光板。
【請求項７】
前記ストリップ状構造は、凹構造であり、かつ前記ストリップ状構造の深さが前記主面に不規則に配列されていることを特徴とする請求項１乃至５のいずれか１項に記載の導光板。
【請求項８】
前記主面は、光出射面または反射面であることを特徴とする請求項１乃至７のいずれか１項に記載の導光板。
【請求項９】
請求項１乃至８のいずれか１項に記載の導光板と、
前記本体の前記光入射面に向けて光線を発する光源とを含むことを特徴とするバックライトモジュール。
【請求項１０】
各前記ストリップ状構造の漸減部の先端と前記光入射面との間は、前記第２の方向において間隔を有し、かつ各間隔の大きさは同じであることを特徴とする請求項９に記載のバックライトモジュール。
【請求項１１】
前記ストリップ状構造の漸減部の先端と前記光源との間に扇形の空白領域を有することを特徴とする請求項９に記載のバックライトモジュール。
【請求項１２】
請求項９乃至１１のいずれかに記載のバックライトモジュールと、
前記バックライトモジュールに設けられたディスプレイパネルとを備えることを特徴とする表示装置。 
【考案の詳細な説明】
【技術分野】
【０００１】
本考案は、光学素子に関し、特に、導光板、バックライトモジュールおよび表示装置に関する。
【背景技術】
【０００２】
従来のバックライトモジュールは、主に、ライトバーおよび導光板を含む。ライトバーは、回路基板と、回路基板の表面に配置された発光ダイオードとを含む。導光板は、発光ダイオードの近傍に配置されており、導光板の光入射面は、発光ダイオードの光出射面に密着しているかまたは僅かな隙間しか存在しないため、発光ダイオードの光線を有効に利用することができる。
【０００３】
しかしながら、導光板の光入射面が発光ダイオードの光出射面に密着しているかまたは僅かな隙間しか存在しないため、導光板の光出射面の発光ダイオード付近では明帯や輝度ムラの問題が生じやすく、これにより、導光板の光学的外観が大きく損なわれる。
【考案の概要】
【考案が解決しようとする課題】
【０００４】
そこで、本考案は、導光板の光出射面の光入射面付近での輝度ムラを改善することができ、さらにバックライトモジュール全体と表示装置の出光外観の均一性を向上させることができるストリップ状構造を有する導光板、バックライトモジュール、および表示装置を提供することを目的とする。
【課題を解決するための手段】
【０００５】
本考案の導光板は、本体と、複数のストリップ状構造とを備える。当該本体は、光入射面、および当該光入射面に接続された主面を有する。当該ストリップ状構造は、当該主面に当該光入射面に平行な第１の方向に沿って配列され、当該ストリップ状構造の延在方向は、当該光入射面に垂直な第２の方向であり、当該ストリップ状構造は、異なる自身の形態を有するとともに、前記第１の方向に沿った配列形態が不規則性を有し、各ストリップ状構造は、本体部と、当該本体部から当該光入射面の方向に延びる漸減部とを有し、各ストリップ状構造の漸減部の幅は、当該本体部から当該光入射面の方向に向かって漸縮されており、各ストリップ状構造の本体部には、複数の直線状のストライプが形成されており、当該直線状のストライプの延在方向と、当該ストリップ状構造の延在方向とは、当該第２の方向と同じである。
【０００６】
本考案の別の技術的手段は、当該ストリップ状構造の本体部の幅は、当該主面に不規則に配列されている。
【０００７】
本考案のさらに別の技術的手段は、当該ストリップ状構造の本体部の長さは、当該主面に不規則に配列されている。
【０００８】
本考案のさらに別の技術的手段は、当該ストリップ状構造の漸減部の長さは、当該主面に不規則に配列されている。
【０００９】
本考案の別の技術手段は、当該ストリップ状構造は、隙間なく密接に配列されている。
【００１０】
本考案のさらに別の技術手段は、当該ストリップ状構造は、凸構造であり、かつ当該ストリップ状構造の高さが当該主面に不規則に配列されている。
【００１１】
本考案のさらに別の技術的手段は、当該ストリップ状構造は、凹構造であり、かつ当該ストリップ状構造の深さが当該主面に不規則に配列されている。
【００１２】
本考案の別の技術手段は、当該主面は、光出射面または反射面である。
【００１３】
本考案の別の目的は、上述の導光板および光源を含むバックライトモジュールを提供することである。当該光源は、当該本体の光入射面に向かって光線を発する。
【００１４】
本考案のさらに別の技術的手段は、各ストリップ状構造の漸減部の先端と当該光入射面との間は、当該第２の方向において間隔を有し、かつ各間隔の大きさは同じである。
【００１５】
本考案の別の技術的手段は、当該ストリップ状構造の漸減部の先端と当該光源との間に扇形の空白領域を有する。
【００１６】
本考案の別の目的は、上述したバックライトモジュールと、当該バックライトモジュールに設けられたディスプレイパネルとを備える表示装置を提供することにある。
【考案の効果】
【００１７】
本考案の有益な効果は、当該導光板の主面に設けられた微細構造により、当該導光板の光入射箇所付近での光線を効果的に霧化することができ、バックライトモジュールおよび表示装置の全体的な輝度の均一性を向上させることができる。
【図面の簡単な説明】
【００１８】
【図１】図１は、本考案に係る導光板の好ましい実施例を説明する部分斜視模式図である。
【図２】図２は、本考案に係るバックライトモジュールの好ましい実施例を説明する部分平面模式図である。
【図３】図３は、図２を補助的説明する部分側面模式図である。
【図４】図４は、バックライトモジュールにおけるストリップ状構造の他の配列態様を説明する部分平面模式図である。
【図５】図５は、バックライトモジュールにおけるストリップ状構造の他の配列態様を説明する部分平面模式図である。
【図６】図６は、本考案に係る表示装置の好ましい実施例を説明する部分側面模式図である。
【考案を実施するための形態】
【００１９】
本考案に関する関連技術の内容は、添付図面を参照した以下の好ましい実施例の詳細な説明により明らかになる。なお、詳細な説明の前に、同様の要素は同じ符号で示されている。
【００２０】
図１を参照すると、本考案の導光板２の好ましい実施例であり、本体２１と、複数のストリップ状構造２２とを備える。本体２１は、光入射面２１１と、光入射面２１１に接続された主面２１２とを有している。ストリップ状構造２２は、主面２１２に配置され、光入射面２１１から入射して本体２１から出射される光線を均一化する。
【００２１】
本実施例では、主面２１２は、光出射面である。他の実施例では、主面２１２は、反射面であってもよい。図１に示すように、ストリップ状構造２２は、主面２１２に第１の方向Ｘに沿って配列され、第１の方向Ｘは、光入射面２１１に対して平行であり、ストリップ状構造２２の延在方向は、光入射面２１１に垂直な第２の方向Ｙである。第２の方向Ｙは、第１の方向Ｘに対して垂直である。
【００２２】
ストリップ状構造２２は、異なる自己形態を有し、第１の方向Ｘに沿った配列形態が、不規則性を有する。各ストリップ状構造２２は、本体部２２１と、本体部２２１から光入射面２１１の方向に延びる漸減部２２２とを有する。各ストリップ状構造２２の漸減部２２２の幅は、本体部２２１から光入射面２１１の方向に向かって漸減されている。なお、本明細書でいう「自己形態」とは、ストリップ状構造２２自体が有する長さ、深さ、高さまたは形状等を指す。図１に示すように、本実施例では、ストリップ状構造２２は、凸構造であり、ストリップ状構造２２の高さや幅は、不規則な配列（または乱数配列とも呼ばれる）で主面２１２に配置されている。他の実施例では、異なる設計または光学的要件に応じて、ストリップ状構造２２の本体部２２１の長さは、主面２１２に不規則に配列されており、または、ストリップ状構造２２の漸減部２２２の長さは、主面２１２に不規則に配列されている。なお、本実施例では、ストリップ状構造２２は隙間なく密接に配列されている。
【００２３】
図１に示すように、各ストリップ状構造２２の本体部２２１には、複数の直線状のストライプ２３（業界ではヘアラインと呼ぶ）が形成されており、直線状のストライプ２３の延在方向とストリップ状構造２２の延在方向とは、第２の方向Ｙと同じである。なお、直線状のストライプ２３は、ストリップ状構造２２の表面に鋸歯状のカッタ（図示せず）を用いて引っ掻くことにより形成される。
【００２４】
本考案は、主にストリップ状構造２２の不規則な配列分布を利用し、導光板２の光出射面が発光ダイオード付近で明帯や輝度ムラが生じやすいという問題を効果的に改善する。そして、ストリップ状構造２２上の直線状のストライプ２３により、ストリップ状構造２２から出射される光線の乱れを増加する。また、ストリップ状構造２２に形成された凹凸構造の直線状のストライプ２３により、上方フィルムと平滑面との接触による吸着問題を解決し、霧化効果を高め、バックライトモジュールの欠陥を隠蔽する機会を増やし、生産性を向上させる。
【００２５】
また、本実施例では、ストリップ状構造２２が不規則に配列されているため、発光ダイオードの配列位置を制限する必要がなく、これにより組立時の位置合わせ作業が減らされ、工数とコストが削減される。
【００２６】
図２および図３を参照すると、本考案のバックライトモジュールの実施例によって描かれた平面模式図および側面模式図であり、主に、図１に示すような、導光板２および光源３を含む。光源３は、導光板２の光入射面２１１に隣接して配置されており、光源３で発生した光線は、導光板２の光入射面から導光板２に入射することができる。なお、上記の「隣接して配置する」は、図２および図３に示すような短な距離に限定されず、光源３を光入射面２１１に直接貼り当ててもよい。
【００２７】
各ストリップ状構造２２は、本体部２２１と、本体部２２１から光入射面２１１の方向に延びる漸減部２２２とを有する。各ストリップ状構造２２の漸減部２２２の幅は、本体部２２１から光入射面２１１の方向に向かって漸減されている。また、本実施例では、ストリップ状構造２２の漸減部２２２の先端と光入射面２１１とが離間しているが、実際の運用時はこれに限定されない。他の実施例では、漸減部２２２は、光入射面２１１に接続されるように設計されてもよい。
【００２８】
図２に示すように、各ストリップ状構造２２の本体部２２１には、複数の直線状のストライプ２３（業界ではヘアラインと呼ぶ）が形成されており、直線状のストライプ２３の延在方向とストリップ状構造２２の延在方向とは、第２の方向Ｙと同じである。なお、直線状のストライプ２３は、ストリップ状構造２２の表面に鋸歯状のカッタ（図示せず）を用いて引っ掻くことにより形成される。
【００２９】
再び図２および図３を参照すると、本実施例では、各ストリップ状構造２２の漸減部２２２の先端と光入射面２１１との間は第２の方向Yにおいて間隔Ｄを有し、各間隔Ｄの大きさは同じである。なお、図２の視点で見ると、光源３に近いストリップ状構造２２によって受光される光線は、光源３から遠いストリップ状構造２２によって受光される光線よりも多い。したがって、ストリップ状構造２２の漸減部２２２の長さは、最適な均一化効果を達成するために、光源３によって発生される光の形状に応じて変化する必要がある。したがって、本実施例では、第１の方向Ｘにおいて光源３に近いストリップ状構造２２ほど、その漸減部２２２の長さは長くなり、本体部２２１の長さは短くなる。漸減部２２２が長く、本体部２２１が短い形態のストリップ状構造２２の面積の割合は小さく、平面の割合は大きいため、ここでの全反射が少なく破壊されるが、このような形態のストリップ状構造２２によって持ち出される光線は少なくなる。逆に、第１の方向Ｘにおいて光源３から遠いストリップ状構造２２ほど、その漸減部２２２は短くなり、本体部２２１は長くなり、このような形態のストリップ状構造２２によって持ち出される光線は多くなる。よって、第１の方向Ｘにおいて光源３から遠いストリップ状構造２２ほど出射される光線の輝度は、第１の方向Ｘにおいて光源３に近いストリップ状構造２２ほど出射される光線の輝度よりも大きくなる。これにより、導光板２の光出射面が光源３付近で明帯や輝度ムラが生じやすいという問題を解決し、全体の出光輝度をより均一にすることができる。各ストリップ状構造２２の本体部２２１に形成された直線状のストライプ２３は、主に本体部２２１を通過する光線の霧化を強化して光源３の指向性を低下させ、明暗不均一を避けて、導光板２全体の出光品質を向上させることができる。
【００３０】
図４および図５を参照すると、他の実施例では、ストリップ状構造２２の漸減部２２２の先端と光源３との間に扇形の空白領域４がある。すなわち、図４および図５の視点で見ると、第１の方向Ｘにおいて光源３に近いストリップ状構造２２によって受光される光線は、第１の方向Ｘにおいて光源３から遠いストリップ状構造２２よりも多くなる。したがって、第１の方向Ｘにおいて光源３に近いストリップ状構造２２は、その漸減部２２２の先端が光入射面２１１から遠く、第１の方向Ｘにおいて光源３から遠いストリップ状構造２２は、その漸減部２２２の先端が光入射面２１１に近い。これにより扇形の空白領域４が形成される。扇形の空白領域４ではストリップ状構造２２が欠けているため、ここで全反射が起こりやすく光が出にくくなり、導光板２の光出射面が光源３付近で明帯や輝度ムラが生じやすいという問題を避することができる。扇形の空白領域４は、光源３によって発生される光の形状に応じて、図４に示すような円弧状または図５に示すような角度を付けた形状に設計することができる。これらの実施例では、ストリップ状構造２２の本体部２２１と漸減部２２２の長さを短くして扇形の空白領域４を形成することにより、導光板２の光出射面が光源３付近で明帯や輝度ムラが生じやすいという問題を解決し、全体の出光輝度をより均一にすることができる。
【００３１】
なお、本実施例において、ストリップ状構造２２が凸構造であることは例示に過ぎず、本考案を限定するものではない。他の実施例では、ストリップ状構造２２は、必要に応じて、異なる深さを有する凹構造として設計することができ、上記したのと同じ目的を達成する。ここでは、説明を省略する。
【００３２】
また、本考案の上記実施例は、ストリップ状構造２２の同じ側である片側に対応する漸減部２２２が形成されている。しかし、実際には、ストリップ状構造２２の両端に漸減部２２２を形成していることで、両側から光が入射する光源３の形態に適用してもよい。
【００３３】
図６を参照すると、本考案のバックライトモジュールの実施例によって描かれた表示装置である。本実施例の表示装置は、図３に示すようなバックライトモジュールと、ディスプレイパネル５とを備える。図６に示すように、ディスプレイパネル５は、バックライトモジュールの導光板２の光出射面に配置されているため、上記と同様の目的を達成することができる。ここでは、その説明は省略する。なお、図６は、図３に示したバックライトモジュールを表示装置に適用した例示であり、本考案を限定するものではない。上述した図４および図５に示すバックライトモジュールは、表示装置に適用し、同じ効果を生じることができる。
【００３４】
以上の説明から明らかなように、本考案の導光板２の主面２１２には、自身の形態が異なるストリップ状構造２２が設けられており、ストリップ状構造２２は、光源３の出射光強度と光の形状に応じて設計することができ、これにより、バックライトモジュールおよび表示装置の出射光をより均一にすることができ、確実に本考案の目的を達成することができる。
【００３５】
上記の説明は、本考案の好ましい実施例に過ぎず、本考案の実施の範囲を限定するものではない。即ち、本考案の請求の範囲および明細書の内容による簡単な等価変化および修正は、本考案の保護範囲内にある。
【符号の説明】
【００３６】
２…導光板
２１…本体
２１１…光入射面
２１２…主面
２２…ストリップ状構造
２２１…本体部
２２２…漸減部
２３…直線状のストライプ
３…光源
４…扇形の空白領域
５…ディスプレイパネル
Ｄ…間隔
X…第１の方向
Y…第２の方向 
【図１】
0003223872.tif 000003
【図２】
0003223872.tif 000004
【図３】
0003223872.tif 000005
【図４】
0003223872.tif 000006
【図５】
0003223872.tif 000007
【図６】
0003223872.tif 000008